(57)【要約】【課題】  コンテンツの購入前にその中身を一部見ることを可能にするコンテンツ販売方法とその方法とコンピュータを提供する。【解決手段】  商材提供元コンピュータ２は、ステップＳＴ１３のアクセスに応じて広告画面を商材購入者コンピュータ８に表示する。商材購入者コンピュータ８は、ステップＳＴ１４で表示された広告画面の上記リンク画像がクリックされると、立ち読み支援サイトコンピュータ６にアクセスを行う。立ち読み支援サイトコンピュータ６は、立ち読み商材データに応じた立ち読み画面７２を商材提供元コンピュータ２に表示する。購入希望者は、購入画面で所定の情報を入力することで、当該電子商材の購入手続を行うことができる。【選択図】図１
2011100408.tif 000002
【特許請求の範囲】
【請求項１】
購入希望者からの要求に応じてコンテンツを販売処理を行う販売コンピュータと、
前記コンテンツの広告を配信する広告コンピュータと、
前記コンテンツの一部のみを含む部分コンテンツを配信するコンテンツ部分表示コンピュータと
を有し、
前記販売コンピュータは、
前記コンテンツのうち表示する部分および非表示の部分の少なくとも一方を示す指示データと、前記コンテンツのうち前記部分コンテンツを生成するのに必要な部分とを前記コンテンツ部分表示コンピュータに送信し、
前記コンテンツ部分表示コンピュータは、
前記販売コンピュータから受信した前記指示データおよび前記コンテンツの部分とを基に前記部分コンテンツを生成し、前記部分コンテンツのアドレスを前記広告コンピュータに送信し、
前記広告コンピュータは、
前記コンテンツ部分表示コンピュータから受信した前記アドレスへのリンクを含む広告を前記購入希望者のコンピュータに配信する
コンテンツ販売システム。
【請求項２】
前記広告コンピュータは、前記コンテンツおよび前記指示データを前記販売コンピュータに送信する
請求項１に記載のコンテンツ販売システム。
【請求項３】
前記コンテンツ部分表示コンピュータは、前記販売コンピュータが販売処理に用いる画面のアドレスへのリンクを含む前記部分コンテンツを生成する
請求項１または請求項２に記載のコンテンツ販売システム。
【請求項４】
前記コンテンツは、電子商材である
請求項１〜３のいずれかに記載のコンテンツ販売システム。
【請求項５】
購入希望者からの要求に応じてコンテンツを販売処理を行う販売コンピュータと、前記コンテンツの広告を配信する広告コンピュータと、通信を行いながら、前記コンテンツの一部のみを含む部分コンテンツを配信するコンテンツ部分表示コンピュータであって、
前記コンテンツのうち表示する部分および非表示の部分の少なくとも一方を示す指示データと、前記コンテンツのうち前記部分コンテンツを生成するのに必要な部分とを前記販売コンピュータから受信し、
前記受信した前記指示データおよび前記コンテンツの部分とを基に前記部分コンテンツを生成し、前記部分コンテンツのアドレスを、前記広告からのリンクされるアドレスとして前記広告コンピュータに送信する
コンピュータ。
【請求項６】
購入希望者からの要求に応じてコンテンツを販売処理を行う販売コンピュータと、
前記コンテンツの広告を配信する広告コンピュータと、
前記コンテンツの一部のみを含む部分コンテンツを配信するコンテンツ部分表示コンピュータと
を用いてコンテンツを販売するコンテンツ販売方法であって、
前記販売コンピュータが、前記コンテンツのうち表示する部分および非表示の部分の少なくとも一方を示す指示データと、前記コンテンツのうち前記部分コンテンツを生成するのに必要な部分とを前記コンテンツ部分表示コンピュータに送信し、
前記コンテンツ部分表示コンピュータが、前記販売コンピュータから受信した前記指示データおよび前記コンテンツの部分とを基に前記部分コンテンツを生成し、前記部分コンテンツのアドレスを前記広告コンピュータに送信し、
前記広告コンピュータが、前記コンテンツ部分表示コンピュータから受信した前記アドレスへのリンクを含む広告を前記購入希望者のコンピュータに配信する
コンテンツ販売方法。
【発明の詳細な説明】
【技術分野】
【０００１】
本発明は、電子商材等のコンテンツの販売前の広告段階でその中身の一部を見ることができるコンテンツ販売方法とその方法とコンピュータに関するものである。
【背景技術】
【０００２】
インターネットを通じて販売されるノウハウ等を記載した電子商材は、その中身であるノウハウに金銭価値があるため、通常、購入希望者は、購入前にその中身を見ることができない。
このように、上述したような電子商材は、購入希望者が購入前にその中身を見ることができないため、購入希望者は、その広告のみを見て、電子商材を購入するかどうかを決めなければならない。
【発明の開示】
【発明が解決しようとする課題】
【０００３】
しかしながら、近年、電子商材の広告は非常にアピール力があるが、その中身のレベルが低い電子商材が多くなり、購入者が損失を被るケースがある。
電子商材には、数万円もするものも多く、このようなケースが増えると、電子商材市場の健全な成長の妨げになる。
このような問題は、他のコンテンツにも存在する。
【０００４】
本発明はかかる事情に鑑みてなされたものであり、その目的は、コンテンツの購入前にその中身を一部見ることを可能にするコンテンツ販売方法とその方法とコンピュータを提供することにある。
【課題を解決するための手段】
【０００５】
上述した従来技術の問題を解決し、上述した目的を達成するために、本発明のコンテンツ販売システムは、購入希望者からの要求に応じてコンテンツを販売処理を行う販売コンピュータと、前記コンテンツの広告を配信する広告コンピュータと、
前記コンテンツの一部のみを含む部分コンテンツを配信するコンテンツ部分表示コンピュータとを有する。
ここで、前記販売コンピュータは、前記コンテンツのうち表示する部分および非表示の部分の少なくとも一方を示す指示データと、前記コンテンツのうち前記部分コンテンツを生成するのに必要な部分とを前記コンテンツ部分表示コンピュータに送信する。
また、前記コンテンツ部分表示コンピュータは、前記販売コンピュータから受信した前記指示データおよび前記コンテンツの部分とを基に前記部分コンテンツを生成し、前記部分コンテンツのアドレスを前記広告コンピュータに送信する。
また、前記広告コンピュータは、前記コンテンツ部分表示コンピュータから受信した前記アドレスへのリンクを含む広告を前記購入希望者のコンピュータに配信する。
【０００６】
好適には、本発明のコンテンツ販売システムの前記広告コンピュータは、前記コンテンツおよび前記指示データを前記販売コンピュータに送信する。
また、好適には、前記コンテンツ部分表示コンピュータは、前記販売コンピュータが販売処理に用いる画面のアドレスへのリンクを含む前記部分コンテンツを生成する。
【０００７】
また、本発明のコンピュータは、購入希望者からの要求に応じてコンテンツを販売処理を行う販売コンピュータと、前記コンテンツの広告を配信する広告コンピュータと、通信を行いながら、前記コンテンツの一部のみを含む部分コンテンツを配信するコンテンツ部分表示コンピュータであって、前記コンテンツのうち表示する部分および非表示の部分の少なくとも一方を示す指示データと、前記コンテンツのうち前記部分コンテンツを生成するのに必要な部分とを前記販売コンピュータから受信し、前記受信した前記指示データおよび前記コンテンツの部分とを基に前記部分コンテンツを生成し、前記部分コンテンツのアドレスを、前記広告からのリンクされるアドレスとして前記広告コンピュータに送信する。
【０００８】
また、本発明のコンテンツ販売方法は、購入希望者からの要求に応じてコンテンツを販売処理を行う販売コンピュータと、前記コンテンツの広告を配信する広告コンピュータと、前記コンテンツの一部のみを含む部分コンテンツを配信するコンテンツ部分表示コンピュータとを用いてコンテンツを販売する。
そして、前記販売コンピュータが、前記コンテンツのうち表示する部分および非表示の部分の少なくとも一方を示す指示データと、前記コンテンツのうち前記部分コンテンツを生成するのに必要な部分とを前記コンテンツ部分表示コンピュータに送信し、前記コンテンツ部分表示コンピュータが、前記販売コンピュータから受信した前記指示データおよび前記コンテンツの部分とを基に前記部分コンテンツを生成し、前記部分コンテンツのアドレスを前記広告コンピュータに送信し、前記広告コンピュータが、前記コンテンツ部分表示コンピュータから受信した前記アドレスへのリンクを含む広告を前記購入希望者のコンピュータに配信する。
【発明の効果】
【０００９】
本発明によれば、コンテンツの購入前にその中身を一部見ることを可能にするコンテンツ販売方法とその方法とコンピュータを提供することができる。
【発明を実施するための最良の形態】
【００１０】
以下、本発明の実施形態に係る電子商材販売システムについて説明する。
図１は、本発明の実施形態に係る電子商材販売システム１の全体構成図である。
図１に示すように、電子商材販売システム１では、インタネット等のネットワーク９を介して、商材提供元コンピュータ２、販売サイトコンピュータ４、立ち読み支援サイトコンピュータ６、商材購入者コンピュータ８が接続されている。
ここで、商材提供元コンピュータ２、販売サイトコンピュータ４、立ち読み支援サイトコンピュータ６および商材購入者コンピュータ８の数は任意である。
【００１１】
商材提供元コンピュータ２が本発明の広告コンピュータの一例である。販売サイトコンピュータ４が本発明の販売コンピュータの一例である。立ち読み支援サイトコンピュータ６が本発明のコンテンツ部分表示コンピュータの一例である。
また、電子商材が、本発明のコンテンツの一例である。
一例である。
【００１２】
商材提供元コンピュータ２、販売サイトコンピュータ４、立ち読み支援サイトコンピュータ６および商材購入者コンピュータ８のコンピュータは、基本的に、図２に示す構成を有している。
すなわち、これらのコンピュータは、図２に示すように、例えば、インタフェース２１、ディスプレイ２２、操作部２３、メモリ２４および処理回路２５を有し、これらがバス２０を介して接続されている。
【００１３】
インタフェース２１は、図１に示すネットワーク９を介して、他のコンピュータと通信を行うために用いられる。
ディスプレイ２２は、処理回路２５が実行する管理プログラムＰＲＧが提供する様々な画面を表示する。
【００１４】
操作部２３は、キーボードやマウス等の操作手段である。
メモリ２４は、処理回路２５が実行するプログラム、処理回路２５の処理に用いられるデータを一時的に記憶する。
処理回路２５は、管理プログラムＰＲＧを実行して、各コンピュータの処理を統括的に制御する。
【００１５】
以下に示す商材提供元コンピュータ２、販売サイトコンピュータ４、立ち読み支援サイトコンピュータ６および商材購入者コンピュータ８の各コンピュータの処理は、上述したように各コンピュータの構成要素による処理によって実現される。
【００１６】
［商材提供元コンピュータ２］
商材提供元コンピュータ２は、電子商材の提供元の業者が使用し、販売サイトコンピュータ４が販売する電子商材を販売サイトコンピュータ４への提供する。
また、商材提供元コンピュータ２は、上記電子商材の広告を提供する。
商材提供元コンピュータ２が提供する図３に示す広告画面には、電子商材の魅力を伝える広告画像６０の他に、後述する立ち読み商材データへのリンク画像６２が含まれている。商材データへのリンク画像６２は、例えば、アイコン化されている。
また、商材提供元コンピュータ２は、電子商材のうち上記立ち読み商材データとして表示する部分および非表示の部分の少なくとも一方を示す指示データを含む立ち読み登録要求を、例えば、立ち読み支援サイトコンピュータ６に送信する。
ここで、上記非表示の部分としては、電子商材が提供するノウハウを知る上でキーとなる部分が選ばれる。
【００１７】
［販売サイトコンピュータ４］
販売サイトコンピュータ４は、商材提供元コンピュータ２から受信した電子商材と、立ち読み支援サイトコンピュータ６から受信した上記登録要求に含まれる指示データとを基に、上記電子商材のうち立ち読み商材データを生成するのに必要な部分を立ち読み支援サイトコンピュータ６に送信する。
また、販売サイトコンピュータ４は、事前に審査を経た電子商材についてその販売処理を行う。
販売サイトコンピュータ４は、購入希望者から信頼がある運営者によって管理されており、購入希望者は販売サイトコンピュータ４で販売処理される電子商材を信頼することができる。
【００１８】
［立ち読み支援サイトコンピュータ６］
立ち読み支援サイトコンピュータ６は、販売サイトコンピュータ４から受信した上記商材データの一部と、商材提供元コンピュータ２から受信した上記登録要求とを基に、電子商材の一部のみを表示した立ち読み商材データを生成し、これを所定のアドレスにアップロードする。
購入希望者が、図３に示す広告画面内の立ち読み商材データへのリンク画像６２をクリックするだけで、立ち読み支援サイトコンピュータ６が図４に示す立ち読み商材データに応じた画面７２を表示する。
購入希望者は、立ち読み商材データに応じた画面７２上で、購入希望の電子商材の内容を部分的に見ることができる。
【００１９】
以下、電子商材を登録する際の処理フローについて説明する。
図５は、電子商材を登録する際の処理フローについて説明するためのフローチャートである。
【００２０】
ステップＳＴ１：
商材提供元が、商材提供元コンピュータ２を操作して、電子商材と共に、その登録要求を販売サイトコンピュータ４に送信する。
【００２１】
ステップＳＴ２：
販売サイトコンピュータ４は、ステップＳＴ１で受信した電子商材の内容を審査し、販売するのに適切なものであると判断すると、それを登録する。
当該登録により、販売サイトコンピュータ４の販売サイト上で、当該電子商材が販売可能になる。
当該販売サイトは、業界内で信用があるサイトであり、購入者は、当該販売サイトで販売されている電子商材は信頼できと判断することができる。
【００２２】
ステップＳＴ３：
商材提供元コンピュータ２は、立ち読み登録要求を立ち読み支援サイトコンピュータ６に送信する。当該立ち読み登録要求には、電子商材全体のなかで立ち読み商材内で表示する部分および非表示の部分を示す指示データを含んでいる。
立ち読み支援サイトコンピュータ６は、上記登録要求を上記指示データと共に販売サイトコンピュータ４に送信する。
【００２３】
ステップＳＴ４：
販売サイトコンピュータ４あるいは商材提供元コンピュータ２が、上記指示データを基に、登録した電子商材のうち立ち読み商材を生成するのに必要な部分を立ち読み支援サイトコンピュータ６に送信する。
【００２４】
ステップＳＴ５：
立ち読み支援サイトコンピュータ６は、ステップＳＴ３で受信した指示データと、ステップＳＴ４で受信したデータとを基に立ち読み商材データを生成する。
【００２５】
ステップＳＴ６：
立ち読み支援サイトコンピュータ６は、ステップＳＴ５で生成した立ち読み商材データをアップロードするネットワーク９上のアドレスを決定し、当該アドレスにアップロードする。
【００２６】
ステップＳＴ７：
立ち読み支援サイトコンピュータ６は、ステップＳＴ６で決定したアドレスを商材提供元コンピュータ２に通知する。
【００２７】
ステップＳＴ８：
商材提供元コンピュータ２は、ステップＳＴ７で決定したアドレスへのリンクを広告画面を表示する広告データ内に入れる。
【００２８】
図６は、購入希望者が電子商材を購入するまでのフローチャートである。
以下、購入希望者が電子商材を購入するまでのフローを説明する。
ステップＳＴ１１：
電子商材の購入希望者は、商材購入者コンピュータ８を操作して、自らが購入を希望する電子商材を検索する。当該検索は、例えば、キーワード検索である。
【００２９】
ステップＳＴ１２：
販売サイトコンピュータ４は、例えば、ステップＳＴ１で検索された電子商材に関係する商材提供元コンピュータ２のアドレスを検索画面に表示する。
【００３０】
ステップＳＴ１３：
商材購入者コンピュータ８は、ステップＳＴ１２で表示された検索画面上のアドレスをクリックして、商材提供元コンピュータ２にアクセスを行う。
【００３１】
ステップＳＴ１４：
商材提供元コンピュータ２は、ステップＳＴ１３のアクセスに応じて広告画面を商材購入者コンピュータ８に表示する。
当該広告画面には、ステップＳＴ６で決定された立ち読み商材データのアドレスへのリンクと、リンク画像が含まれている。
【００３２】
ステップＳＴ１５：
商材購入者コンピュータ８は、ステップＳＴ１４で表示された広告画面の上記リンク画像がクリックされると、立ち読み支援サイトコンピュータ６にアクセスを行う。
【００３３】
ステップＳＴ１６：
立ち読み支援サイトコンピュータ６は、立ち読み商材データに応じた立ち読み画面７２を商材提供元コンピュータ２に表示する。
立ち読み画面７２には、購入指示画像７４が含まれている。購入希望者が、購入指示画像７４をクリックすると、販売サイトコンピュータ４が提供する購入画面に遷移する。
購入希望者は、当該購入画面で所定の情報を入力することで、当該電子商材の購入手続を行うことができる。
【００３４】
ステップＳＴ１７：
購入希望者が、ステップＳＴ１６の広告画面上で購入指示画面をクリックすると、販売サイトコンピュータ４の販売サイトの購入画面に移行し、購入手続を行うことができる。
【００３５】
以上説明したように、電子商材販売システム１によれば、電子商材の購入希望者は、販売サイトコンピュータ４から商材提供元コンピュータ２にアクセスして図３に示す広告画面を見た際に、当該広告画面内の立ち読み商材データへのリンク画像６２をクリックするだけで、図４に示す立ち読み商材データに応じた画面７２を表示する。
購入希望者は、購入前に、立ち読み商材データに応じた画面７２上で、購入希望の電子商材の内容を部分的に見ることができる。
【００３６】
そのため、購入希望者は、購入前に電子商材のある程度の内容を知ることができ、購入に伴う損失の可能性を低くできる。
また、商材提供元が電子商材なのなかで立ち読み商材データとして表示する箇所と非常にする箇所とを指定できるため購入前にノウハウ等を盗まれることを防止できる。
こにより、広告効果はあるが、その中身のレベルが低い電子商材が多くなることを防止でき、電子商材市場の健全な成長を促進できる。
【００３７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３８】
例えば、上述した実施形態では、本発明のコンテンツの一例として電子商材を例示したが、その他の映画・ゲーム等のコンテンツであってもよい。
【００３９】
また、上述した実施形態では、販売サイトコンピュータ４において電子商材を販売処理する場合を例示したが、販売処理を商材提供元コンピュータ２において行うようにしてもよい。
また、図３および図４に示す画面は一例であり、任意に変更可能である。
【産業上の利用可能性】
【００４０】
本発明は、電子商材等のコンテンツを販売するシステムに適用可能である。
【図面の簡単な説明】
【００４１】
【図１】図１は、本発明の実施形態に係る電子商材販売システムの全体構成図である。
【図２】図２は、図１に示す各コンピュータの構成図である。
【図３】図３は、電子商材の広告画面を説明するための図である。
【図４】図４は、立ち読み商材データに応じた画面を説明するための図である。
【図５】図５は、電子商材を登録する際の処理フローについて説明するためのフローチャートである。
【図６】図６は、購入希望者が電子商材を購入するまでのフローチャートである。
【符号の説明】
【００４２】
１…電子商材販売システム
２…商材提供元コンピュータ
４…販売サイトコンピュータ
６…立ち読み支援サイトコンピュータ
８…商材購入者コンピュータ
【図１】
2011100408.tif 000003
【図２】
2011100408.tif 000004
【図３】
2011100408.tif 000005
【図４】
2011100408.tif 000006
【図５】
2011100408.tif 000007
【図６】
2011100408.tif 000008